(57)【要約】【課題】  竜頭等の操作子の損傷を防止すると共に、操作子の誤操作を防止可能な操作装置及び時計を提供する。【解決手段】  装置本体１１と、装置本体１１に操作自在に設けられる竜頭４０を有する腕時計１０において、竜頭４０をガードする竜頭ガード３２を備え、この竜頭ガード３２が、装置本体１１に回転自在に設けられ、その回転位置に応じて竜頭４０の引き出しを規制可能な形状に形成した。【選択図】      図１
2006266887.tif 000002
【特許請求の範囲】
【請求項１】
装置本体と、装置本体に操作自在に設けられる操作子とを有する操作装置において、
前記操作子をガードするガード体を備え、このガード体が、前記装置本体に移動自在に設けられ、その移動位置に応じて前記操作子の操作を規制可能な形状に形成されていることを特徴とする操作装置。
【請求項２】
前記装置本体は、前記ガード体を、前記操作子の操作を規制する規制位置、あるいは、前記操作子の操作を可能にする非規制位置の少なくともいずれかの位置に保持させる位置保持手段を有することを特徴とする請求項１に記載の操作装置。
【請求項３】
前記ガード体は、前記操作子の外側をガードするガード部が外側に張り出した略リング形状であって、前記ガード部を除く非ガード部が、前記装置本体に積層配置されて装置本体に対して回転自在に支持され、前記非ガード部の装置本体側の面には、所定位置に凹部が形成され、前記位置保持手段は、前記凹部に係止可能なクリックピンであることを特徴とする請求項１又は２に記載の操作装置。
【請求項４】
前記装置本体は、前記ガード体の移動範囲を、前記操作子の操作を規制する規制位置と、前記操作子の操作を可能にする非規制位置との間に規制する移動規制手段を有することを特徴とする請求項１乃至３のいずれかに記載の操作装置。
【請求項５】
前記ガード体は、切欠き部を有する略リング形状であって、前記移動範囲規制手段は、前記切り欠き部内に立設するノックピンである請求項４に記載の操作装置。
【請求項６】
時計用ムーブメントを収容する装置本体と、時計用ムーブメントに連結され、前記装置本体に引き出し自在に設けられる竜頭とを有する時計において、
前記竜頭をガードするガード体を備え、このガード体は、前記装置本体に移動自在に支持され、その移動位置に応じて前記竜頭の引き出しを規制可能な形状に形成されていることを特徴とする時計。
【発明の詳細な説明】
【技術分野】
【０００１】
本発明は、装置本体と装置本体に操作自在に設けられる竜頭等の操作子を有する操作装置及び時計に関する。
【背景技術】
【０００２】
従来より、腕時計は、竜頭を備え、この竜頭を引き出すことによって時刻調整操作や暦調整操作等を可能にしている。この種の腕時計には、竜頭の誤操作を防止するために、ねじの噛み合いを利用して竜頭をロックする構造（ねじロック構造）を採用したものがある（例えば、特許文献１）。
【特許文献１】特開２００４−２７１３６３号公報
【発明の開示】
【発明が解決しようとする課題】
【０００３】
しかし、竜頭等の引き出し自在な操作子を有する操作装置は、その操作子が構造上、どうしても装置本体の外側に飛び出してしまい、操作子を物や床にぶつけてしまうと、操作子に傷等の損傷が生じてしまう。特に、操作子が引き出された状態で操作子が床等に衝突した場合には、その衝撃力が操作子の軸に作用し、軸を曲げてしまうおそれがある。
【０００４】
本発明は、上述した事情に鑑みてなされたものであり、竜頭等の操作子の損傷を防止すると共に、操作子の誤操作を防止可能な操作装置及び時計を提供することにある。
【課題を解決するための手段】
【０００５】
上述課題を解決するため、本発明は、装置本体と、装置本体に操作自在に設けられる操作子とを有する操作装置において、前記操作子をガードするガード体を備え、このガード体が、前記装置本体に移動自在に設けられ、その移動位置に応じて前記操作子の操作を規制可能な形状に形成されていることを特徴とする。この構成によれば、操作子をガードするガード体が、装置本体に移動自在に設けられ、その移動位置に応じて操作子の操作を規制可能な形状に形成されるので、ガード体によって操作子の損傷を防止でき、かつ、このガード体により操作子の操作を規制して操作子の誤操作を防止できる。
【０００６】
上記構成において、前記装置本体が、前記ガード体を、前記操作子の操作を規制する規制位置、あるいは、前記操作子の操作を可能にする非規制位置の少なくともいずれかの位置に保持させる位置保持手段を有するようにしてもよい。この構成によれば、ガード体を規制位置及び非規制位置の少なくともいずれかの位置に保持できるので、不意の外力でガード体の位置が変わってしまう場合を回避できる。また、前記ガード体が、前記操作子の外側をガードするガード部が外側に張り出した略リング形状であって、前記ガード部を除く非ガード部が、前記装置本体に積層配置されて装置本体に対して回転自在に支持され、前記非ガード部の装置本体側の面には、所定位置に凹部が形成され、前記位置保持手段を、前記凹部に係止可能なクリックピンとしてもよい。
【０００７】
また、上記構成において、前記装置本体が、前記ガード体の移動範囲を、前記操作子の操作を規制する規制位置と、前記操作子の操作を可能にする非規制位置との間に規制する移動規制手段を有してもよい。この場合、前記ガード体を、切欠き部を有する略リング形状に形成し、前記移動範囲規制手段を、前記切り欠き部内に立設するノックピンとしてもよい。
【０００８】
また、本発明は、時計用ムーブメントを収容する装置本体と、時計用ムーブメントに連結され、前記装置本体に引き出し自在に設けられる竜頭とを有する時計において、前記竜頭をガードするガード体を備え、このガード体は、前記装置本体に移動自在に支持され、その移動位置に応じて前記竜頭の引き出しを規制可能な形状に形成されていることを特徴とする。この構成によれば、装置本体に引き出し自在に設けられる竜頭をガードするガード体が、装置本体に移動自在に支持され、その移動位置に応じて竜頭の引き出しを規制可能な形状に形成されるので、このガード体によって竜頭の損傷を防止でき、かつ、このガード体により竜頭の引き出し操作を規制して竜頭の誤操作を防止できる。
【発明の効果】
【０００９】
本発明は、操作子をガードするガード体が、装置本体に移動自在に設けられ、その移動位置に応じて操作子の操作を規制可能な形状に形成されるので、ガード体によって操作子の損傷を防止でき、かつ、このガード体により操作子の操作を規制して操作子の誤操作を防止できる。
【発明を実施するための最良の形態】
【００１０】
以下、図面を参照して本発明の実施形態を詳述する。
図１は、本発明の一実施形態に係る腕時計１０の外観を示す図であり、図２は、腕時計１０のII−II断面図である。この腕時計１０は、装置本体１１と、装置本体１１に連結された時計バンド１２とを備えて構成されている。
装置本体１１は、時計ケース１３と、時計ケース１３内に収容される文字板１４及びムーブメント（時計用ムーブメント）１５等から概略構成されている。
時計ケース１３は、図３に示すように、カバーガラス３０が配置されるベゼル（ガラス縁）３１と、竜頭ガード（ガード体）３２と、胴ケース３３と、裏蓋３４とから構成され、胴ケース３３内に配置された文字板１４及びムーブメント１５等を密封状態で収容している。また、ベゼル３１と胴ケース３３の間、及び、胴ケース３３と裏蓋３４の間には、密封性や防水性を向上されるためのパッキンＰ１、Ｐ２が各々配置される。
【００１１】
ムーブメント１５は、図２に示すように、筒車から延出する針取付体２０、二番車から延出する針取付体２１、及び、四番車から延出する針取付体２２が、文字板１４の中央穴１９を貫通し、当該文字板１４の上方に延出する。各針取付体２０〜２３には、それぞれ時針２３、分針２４、秒針２５が取り付けられ、これら時刻表示針２３〜２５によって時刻が表示される。
このムーブメント１５には、水晶振動子を時間調速に用いてステッピングモータ等により上記時刻表示針２３〜２５を回転駆動するクオーツ式、或いは、ゼンマイを巻き上げてそのゼンマイに蓄えられた力により上記時刻表示針２３〜２５を回転駆動する機械式のいずれかが適用され、また、暦（年、月、日等）を表示する暦表示機構を備えたものでもよい。また、時刻表示針として、時針２３、分針２４、秒針２５を備える場合に限らず、時針２３及び分針２４だけとしてもよい。
【００１２】
また、ムーブメント１５は、図２に示すように、当該ムーブメント１５から延出する巻真１５Ａを有し、この巻真１５Ａは、胴ケース３３の３時位置に形成された貫通孔１３Ａに通され、胴ケース３３を間に挟んで外側から竜頭（操作子）４０が連結される。この竜頭４０の軸４０Ａには、パッキン４２が設けられ、このパッキン４２により、軸４０Ａと、貫通孔１３Ａに挿通されたパイプ部材１３Ｂとの間の隙間が閉塞され、ゴミや水分等の侵入が防止される。
【００１３】
竜頭４０は、巻真１５Ａと一体に引き出し自在であり、竜頭４０が０段引きの位置（最も胴ケース３３側に押し込んだ位置（図１に示す位置））では、竜頭４０の回転操作により、例えば、クオーツ式ムーブメントであれば竜頭４０が空回りする一方、機械式ムーブメントであればムーブメント１５内のゼンマイの巻き上げ操作が可能となり、竜頭４０が１段引きの位置では、竜頭４０により時刻修正操作が可能となる。なお、ムーブメント１５が暦表示機構を具備する場合は、例えば竜頭４０が２段引き可能となり、２段引きの位置で竜頭４０により暦修正操作が可能となる。
【００１４】
胴ケース３３は、図４（Ａ）（Ｂ）に示すように、略筒形状に形成され、１２時（０時）位置と６時位置とにバンド連結部３５が一体に形成される。このバンド連結部３５には、当該バンド連結部３５に設けられた貫通孔３５Ａに連結ピン（図示せず）が挿通され、この連結ピンを介して時計バンド１２が連結される。また、この胴ケース３３の３時位置には、切欠き部３６が設けられ、図１に示すように、この切欠き部３６内に竜頭４０が配置される。
また、胴ケース３３は、時計表側の面３３Ａから立設するリング状の壁部３７を備え、図２に示すように、この壁部３７より外側の面３３Ｂに竜頭ガード３２が載置されると共に、この壁部３７より内側の面３３ＣにパッキンＰ１を間に挟んでベゼル３１が配置される。
【００１５】
竜頭ガード３２は、図５（Ａ）に示すように、竜頭４０をガードするガード部３８を一体に備えた略リング状に形成され、このガード部３８を除く部分（以下、非ガード部３９という）の内周直径ｄ１が、胴ケース３３の壁部３６の外周直径Ｄ１（図４参照）と略同じ長さに形成され、これによって、ガード体３３が壁部３７に沿って回転可能に支持される。
ガード部３８は、図１に示すように、時計正面側から見て、竜頭外側を時計１０の円周方向に沿って延在する板形状を有し、図５（Ｂ）に示すように、竜頭４０がα位置（規制位置に相当）の場合に、竜頭４０の０段位置からの引き出しを規制する規制部３８Ａと、竜頭４０がβ位置（非規制位置に相当）の場合に、竜頭４０が引き出せるように竜頭４０の周面に沿って屈曲する非規制部３８Ｂとを備えて構成されている。
【００１６】
また、この竜頭ガード３２の非ガード部３９の裏面には、２つの凹部３９Ａ、３９Ｂが同一円周上に間隔を空けて形成され、図４（Ａ）に示すように、胴ケース３３の竜頭ガード載置面面３３Ｂの６時位置には、各凹部３９Ａ、３９Ｂに係合可能にクリックピン５０が埋設されている。このクリップピン５０は、図２に示すように、コイルばね５０Ａと、コイルばね５０Ａによって付勢される球体（係止体）５０Ｂとから構成され、この球体５０Ｂがばね力によって凹部３９Ａ、３９Ｂのいずれかに嵌ることによって、竜頭ガード３２が、球体５０Ｂが凹部３９Ａに嵌る位置と、凹部３９Ｂに嵌る位置とに保持可能となっている。
ここで、本構成では、球体５０Ｂが凹部３９Ａに嵌った場合、図１に示すように上記規制部３８Ａが竜頭４０の外側に位置し、これによって、竜頭ガード３２が、竜頭４０の引き出しを規制する規制位置に保持される。また、球体５０Ｂが凹部３９Ｂに嵌った状態では、上記非規制部３８Ｂが竜頭４０の外側に位置し（図５（Ｂ）に示すβ位置に相当）、これによって、竜頭ガード３２が、竜頭４０の引き出しが可能な非規制位置に保持される。すなわち、クリップピン５０は、竜頭ガード３２（ガード部３８）を、上記規制位置と非規制位置とに保持する位置保持手段として機能している。
【００１７】
また、竜頭ガード３２の非ガード部３９には、その円周方向に延在する切欠き部３９Ｃが設けられている。この切欠き部３９Ｃ内には、図４（Ａ）及び図６に示すように、胴ケース３３の竜頭ガード載置面面３３Ｂの９時位置に立設するノックピン６０が位置する。このため、竜頭ガード３２は、その回転範囲が、ノックピン６０が切欠き部３９Ｃの一方の端面３９Ｃ１（図５（Ａ））に当接する位置と、他方の端面３９Ｃ２（図５（Ａ））に当接する位置との間に規制される。この規制範囲は、竜頭ガード３２を、竜頭４０の引き出しを規制する規制位置から竜頭４０の引き出しが可能な非規制位置まで回転可能な範囲とされ、これによって、ノックピン６０は竜頭ガード３２の回転範囲を規制位置と非規制位置との間に規制する移動規制手段として機能している。
【００１８】
以上説明したように、本構成では、竜頭４０をガードする竜頭ガード３２が胴ケース３３に回転自在に支持され、この竜頭ガード３２が、竜頭４０の引き出しを規制する規制部３８Ａと、竜頭４０の引き出しを可能にする非規制部３８Ｂとを備えるので、この竜頭ガード３２によって竜頭４０を直接、床等にぶつけてしまう場合を回避でき、竜頭４０の損傷を防止でき、また、この竜頭ガード３２を回転操作して竜頭４０の引き出しを規制状態／非規制状態に容易に切り替えることができる。
また、本構成では、竜頭ガード３２を、竜頭４０の引き出しを規制する規制位置と、竜頭４０の引き出しを可能にする非規制位置とに保持するクリックピン５０を備えるので、不意の外力で竜頭ガード３２が回ってしまう場合を回避でき、竜頭ガード３２を上記規制位置及び非規制位置に保持することができる。また、本構成では、竜頭ガード３２の移動範囲を規制するノックピン６０を備えるので、竜頭ガード３２の回転範囲を適正範囲に設定できる。
さらに、本構成では、竜頭ガード３２に規制部３８Ａ及び非規制部３８Ｂが一体に形成されるので、部品点数の増大が回避される。また、竜頭ガード３２の非ガード部３９が、胴ケース３３に積層配置されるので、非ガード部３９は、胴ケース３３の外径範囲内にほぼ収まり、これによって、腕時計１０の大径化が抑制される。
【００１９】
上述した実施形態は、あくまで本発明の一態様に過ぎず、本発明の範囲内で任意に変形が可能である。例えば、上述の実施形態では、竜頭ガード３２を略リング形状に形成する場合を説明したが、要は、竜頭４０の引き出しを規制可能な形状であればよく、その範囲で変更が可能であり、また、その形状によっては、竜頭ガード３２を回転可能に配置する場合に限らず、スライド可能に配置してもよい。
また、上述の実施形態において、腕時計が竜頭４０以外の他の操作子を具備する場合、竜頭ガードが、他の操作子についてもガードし、かつ、その回転位置に応じて他の操作子の操作を規制可能な形状に形成してもよい。また、竜頭ガードに代えて、他の操作子をガードし、かつ、その回転位置に応じて他の操作子の操作を規制可能なガード体を設けてもよい。なお、他の操作子は、引き出し操作が可能な操作子に限らず、押下式操作子、回転式操作子等の任意の操作子を広く適用することができる。
さらに、上述の実施形態では、腕時計に本発明を適用する場合について述べたが、それに限定されず、置時計や壁掛時計等の他の時計や、ＰＤＡ（Personal Digital Assistants）等の携帯型電子機器等の操作子を具備する操作装置に広く適用することができる。
【図面の簡単な説明】
【００２０】
【図１】本発明の一実施形態に係る腕時計の外観を示す図である。
【図２】図１に示す腕時計のII−II断面図である。
【図３】時計ケースの構成を示す図である。
【図４】Ａは胴ケースの平面図であり、Ｂはその側断面図である。
【図５】Ａは竜頭ガードの平面図であり、Ｂはその側面図である。
【図６】図１に示す腕時計のVI−VI断面図である。
【符号の説明】
【００２１】
１０…腕時計、１１…装置本体、１２…時計バンド、１３…時計ケース、１４…文字板、１５…ムーブメント、１５Ａ…巻真、３０…カバーガラス、３１…ベゼル、３２…竜頭ガード、３３…胴ケース、３４…裏蓋、２３…時針、２４…分針、２５…秒針、３５…バンド連結部、３８…ガード部、３８Ａ…規制部、３８Ｂ…非規制部、３９…非ガード部、３９Ａ、３９Ｂ…凹部、３９Ｃ…切欠き部、４０…竜頭、５０…クリックピン、６０…ノックピン
【図１】
2006266887.tif 000003
【図２】
2006266887.tif 000004
【図３】
2006266887.tif 000005
【図４】
2006266887.tif 000006
【図５】
2006266887.tif 000007
【図６】
2006266887.tif 000008